(57)【特許請求の範囲】
【請求項１】
ドライフィルムレジストのフィルムを巻いたロール状物の搬送、保管等時に用いられるコアホルダーに於いて、該ロール状物のコアを支えるコア支持部と外枠との間に中間枠を介在させ、かつ前記コア支持部と中間枠とを相互に連結する全ての内側リブと、該中間枠と外枠とを相互に連結する全ての外側リブとが互いに同一線上にこないように配列して構成し、該コア支持部と同芯で、該コア支持部の外周面と遊合する内周面を有する凹部を設けないことを特徴としたコアホルダー。
【発明の詳細な説明】
【０００１】
【発明の属する技術分野】
本発明はフィルム状の物を巻いたロール状物を搬送或は保管のために使用されるコアホルダー及びこのコアホルダーを用いた梱包方法に係り、特に耐衝撃性構造を有するコアホルダーとそのコアホルダーを用いた梱包方法に関するものである。
【０００２】
【従来の技術】
従来は一般的に、例えば図６に示す如く、フィルム５１をコア（心材）５２に巻いたロール状物５３を搬送或は保管等をする際には、一対のコアホルダー５４をロール状物５３の両端に配置し、かつ該コアホルダー５４の中心部に設けられたコア支持部５５をロール状物５３のコア５２内に挿入し、これによってロール状物５３を宙吊り状態にして、フィルム５１が自重によるストレスで変形することを防止しながら、ロール状物５３を搬送或は保管していた。
【０００３】
前記コア５２としては、熱可塑性樹脂、例えばＡＢＳ樹脂等を用いて成形されたプラスチック丸筒が使用されていた。また、このコア５２に巻かれるフィルム５１としては、例えばドライフィルムレジスト（ＤＦＲ）等がある。前記コアホルダー５４は一般的に熱可塑性樹脂を射出成形することによって枠状に形成されていた。
【０００４】
前述のＤＦＲのフィルム５１は、電子機器のプリント基板を作るために大量に使用されている。最近、コンピューター、家電、携帯電話などの電子機器は高度に発達し、ミクロン単位の精密な配線がプリント基板技術を用いて、工業的に大量に生産されている。このような精密なプリント基板を作る際に用いられるＤＦＲにはわずかな傷や厚みムラも許されないのが現状である。
【０００５】
従って、ロール状物５３が搬送或は保管時にこのロール状物５３を梱包した容器の一部に接触したり、或はロール状物５３の自重により、または外側からの力によってフィルム５１が変形、被傷または厚みムラを起こさないようにすることが重要であった。そのためにも、前述の図６に例示する如く、従来もロール状物５３をコアホルダー５４によって宙吊りするように梱包し、この状態で搬送或は保管していた。
【０００６】
前述のロール状物５３を保持するコアホルダー５４としては、例えば図７に示すような構造のコアホルダー５４が使用されていた。該コアホルダー５４に示す如く、従来一般的に使用されていたコアホルダーは、前記コア５２を支持するコア支持部５５の外側に外枠５６が設けられ、かつこれ等のコア支持部５５と外枠５６とは複数のリブ５７によって相互に直接連結されて構成されていた。
【０００７】
【発明が解決しようとする課題】
然るに、前述のコアホルダー５４は、コア支持部５５と外枠５６とが複数のリブ５７で直接連結されている構造であるので、このコアホルダー５４を使用してロール状物５３を梱包した場合には、輸送中の荷扱いや落下などによって衝撃が発生すると、コアホルダー５４自体にその衝撃を充分に吸収する能力がないために、特にコアホルダー５４の外枠５６に掛かる大きな衝撃等の外力がリブ５７を介してコア支持部５５に伝達されるので、コア支持部５５で支持されているロール状物５３のフィルム５１やコア５２が損傷或は破損したり、或はコアホルダー５４自体も破損してロール状物５３の保持機能を無くし、結果的にロール状物５３を傷つけてしまい、ロール状物５３のフィルム５１の機能を阻害してしまうトラブルが発生する問題があった。
【０００８】
本発明に係るコアホルダー及びそのコアホルダーを用いた梱包方法は、前述の従来の大きな問題点に鑑み開発された全く新しい技術であって、特にコアホルダーを特定の構造にすることによって、ロール状物の輸送中等の荷扱いや落下等による衝撃が発生した場合にも、この衝撃をコアホルダー自体で吸収し、該衝撃がロール状物のコアやフィルムに直接伝達されて、これ等のコアやフィルムが破損或は損傷することを防止するようにした全く新しいコアホルダー及び梱包方法を提供するものである。
【０００９】
【課題を解決するための手段】
本発明に係るコアホルダーは、前述の従来の問題点を根本的に改善した発明であって、その発明の要旨は、ドライフィルムレジストのフィルムを巻いたロール状物の搬送、保管等時に用いられるコアホルダーに於いて、該ロール状物のコアを支えるコア支持部と外枠との間に中間枠を介在させ、かつ前記コア支持部と中間枠とを相互に連結する全ての内側リブと、該中間枠と外枠とを相互に連結する全ての外側リブとが互いに同一線上にこないように配列して構成し、該コア支持部と同芯で、該コア支持部の外周面と遊合する内周面を有する凹部を設けないことを特徴としたコアホルダーである。
【００１０】
本発明に係るコアホルダーは、前述のようにドライフィルムレジストのフィルムを巻いたロール状物のコアを支えるコア支持部と外枠との間に中間枠を介在させ、かつコア支持部と中間枠とを相互に連結する全ての内側リブと、該中間枠と外枠とを相互に連結する全ての外側リブとが互いに同一線上にこないように配列して構成したので、コアホルダーに加わった落下衝撃等の大きな外力を前記中間枠と、及び同一線上にこないように相互に配列された外側リブと内側リブとの組合わせによる総合作用で効率吸収することが出来る。
【００１１】
従って、例えばコアホルダーを用いて梱包されたロール状物が所定の高さから落下した場合にも、コアホルダーの外枠に掛かる大きな衝撃をそのままコア支持部に伝達することがなく、外枠に掛かる大きな衝撃を前述のように中間枠と同一線上にこないように配列された外側リブと内側リブとで吸収することが出来る。
【００１２】
そのために、仮にコアホルダーの外枠が前述のような衝撃等の大きな外力によって破損するような場合にも、コア支持部で支えているロール状物に大きな外力がそのまま伝達されることを防止出来、これによってロール状物のコア或はコアに巻き取られたフィルムが破損或は損傷する恐れを極めて少なくすることが出来る。
【００１３】
【発明の実施の形態】
図により本発明に係るコアホルダーの一実施例を具体的に説明すると、図１は本発明に係るコアホルダーの正面図及び平面図、図２は図１のコアホルダーの背面図、図３は他例のコアホルダーの正面図及び平面図である。
【００１４】
本発明者等は長年に亘って種々の実験と研究を繰返すことによって、前述の従来のコアホルダー５４よりも衝撃等の大きな外力を効率良く吸収することが出来るコアホルダーについて鋭意研究した結果、例えば、図１及び図２に示す実施例１のコアホルダー１或は図３に示す実施例２のコアホルダー８を開発するに至った。
【００１５】
〔実施例１〕
図１及び図２に於いて、１はコアホルダーであって、外枠２の中心部にはロール状物のコアを支えることが出来るコア支持部３が設けられている。該コア支持部３と外枠２との間にはそのほぼ中間に中間枠４が介在されている。
【００１６】
前記コア支持部３と中間枠４とは、コア支持部３より外側に向かって放射状に伸びた複数の内側リブ５を介して相互に連結されている。また、該中間枠４と外枠２とは複数の外側リブ６を介して相互に連結されている。そして中間枠４から内側に伸びる内側リブ５と、中間枠４から外側に伸びる外側リブ６は、夫々が互いにその延長線上にならないように、即ち、両者は夫々同一線上にこないように配置されている。
【００１７】
前述の従来のコアホルダー５４のように、コア支持部５５と外枠５６とを複数のリブ５７で相互に直接連結した場合には、例えば外枠とコア支持部を連結するリブを太くする等して、ロール状物５３のコア５２を支える強さを強くすればするほど、落下衝撃などによってロール状物５３のフィルム５１やコア５２の破損或は損傷が起こり易くなるが、本発明のように、外枠２とコア支持部３との間に中間枠４を介在させ、さらにコア支持部３と中間枠４とを相互に連結する複数の内側リブ５と、中間枠４と外枠２とを相互に連結する複数の外側リブ６とを夫々同一線上にこないように配置した構造にした場合には、このような構造を持ったコアホルダー１は衝撃力等の外力を極めて効率よく吸収することが出来ることを見出した。
【００１８】
従って、このコアホルダー１を使用して前記ロール状物５３を梱包した場合には、仮に輸送時等にロール状物５３が落下して大きな衝撃が加わった場合にも、ロール状物５３の両側に配置したコアホルダー１が、その衝撃を効果的に吸収するので、ロール状物５３のフィルム５１やコア５２の破損或は損傷を起こす心配がない。
【００１９】
前述の図１及び図２に示す如く、内側リブ５或は外側リブ６の裏側（ロール状物５３のフィルム５１に接する面）には、所定の肉厚を持った面板７を一体的に形成することが出来る。前述の内側リブ５、外側リブ６及び面板７の幅及び厚みは、コアホルダー１で支持するロール状物５３の重量等に応じて、予め所定の数値に規定することが出来る。また、前記面板７には、内側リブ５或は外側リブ６の周辺に切り込み開口部を設けることで、コアホルダー１が落下衝撃を受けた際に、これを変形させて衝撃応力を吸収し易くすることが出来る。
【００２０】
〔実施例２〕
図３に示す如く、実施例２のコアホルダー８に於いては、コア支持部３と外枠２との中間に円形の中間枠９を介在させ、コア支持部３と中間枠９とを複数の内側リブ５で相互に連結し、中間枠９と外枠２とを複数の外側リブ６で相互に連結することによって構成した。この実施例２のコアホルダー８の場合にも、前記実施例１のコアホルダー１と同様に、複数の内側リブ５と外側リブ６とが同一線上にこないように配列して構成した。
【００２１】
本発明に係るロール状物の梱包方法を実施するに当っては、前述の図６に示すようなロール状物の両側に本発明に係るコアホルダー１或はコアホルダー８を配置し、これ等のコアホルダー１、８のコア支持部３をロール状物のコアの側端開口部に挿入して取付け、所定寸法の段ボール箱の中に２本のロール状物を並列して収納し、これ等のロール状物を夫々コアホルダー１、８によって宙吊りにするように構成して、その後で１５℃の部屋に一昼夜放置した後、市販の荷造り用ポリプロピレンバンドで段ボール箱をしばり梱包した。
【００２２】
前述の本発明に係るコアホルダー１、８の性能を試験して比較検討するために、本発明者等は２つの比較例１、２のコアホルダー１０、１１を作成し、これらのコアホルダー１０、１１と、本発明に係る前記コアホルダー１、８とを後述のように試験によって比較した。従って、先ず比較例１、２のコアホルダー１０、１１の構成について説明する。また、前記本発明のコアホルダー１、８と比較例１、２のコアホルダー１０、１１は、いずれも同一グレードのポリプロピレン樹脂を使用し、射出成形用の成形金型を使用して一体成形した。
【００２３】
〔比較例１〕
比較例１のコアホルダー１０は、図４に示す如く、外枠１、２の中心部にコア支持部１３を配置し、外枠１２とコア支持部１３とを、ほぼ同一の太さを持った複数のリブ１４で相互に直接連結して構成したものである。
【００２４】
〔比較例２〕
比較例２のコアホルダー１１は、図５に示す如く、基本的構成は前記比較例１のコアホルダー１０と全く同じである。両者の原理的大きな差異は、コアホルダー１０の場合は、複数のリブ１４の太さをほぼ同一にしたのに対し、コアホルダー１１の場合には、複数のリブ１４の内の所定場所のリブを太径にして補強リブ１４ａ形成した点で異なっている。
【００２５】
〔試験例〕
前述の本発明に係るコアホルダー１、８の効果を試験するために、前記比較例で製作したコアホルダー１０、１１を用いて夫々の落下試験を実施した。
【００２６】
旭化成株式会社製のサンフォートＡＱ−４０３８ 幅５１３ｍｍ×１８０ｍ（重量８．８ｋｇ）、ＡＢＳコア５５０ｍｍ（厚さ３．５ｍｍ、外径８３ｍｍ使用）に巻いたロール状物をダンボール箱に、実施例１、２のコアホルダー１、８と及び比較例１、２のコアホルダー１０、１１を用いて、１箱にロール状物をそれぞれ２本づつ梱包した。そして、１５℃の部屋に一昼夜放置した後、市販の荷造り用ポリプロピレンバンド（通称ＰＰバンド）でしばり、フォークリフトで箱が底面と平行になるように、所定の高さまで吊り上げ、ＰＰバンドを鋏で切断して、平滑なコンクリート床面に落下させコア及びコアホルダーの破損状況を調べた。
【００２７】
この試験方法は一度に４個のコアホルダーを使用し、２本のコアの両側の４箇所が披検査対象となる。１本目のロールをＡとＢ、２本面のロールをＣとＤとしてテスト結果を表示した。本発明の実施例１、２のコアホルダー１、８の場合の結果を表１に示す。コアホルダーの外枠まで破損すると保持機能が少し低下するが、リブの一部が破損した程度では保持機能は十分に残っておりロールに損傷を与えていない。従って、落下高さ１４０ｃｍまでは製品のロール状物に実害は及んでいないことが確認された。
【００２８】
【表１】
0004707285.tif 000002
【００２９】
これに対して、比較例１、２のコアホルダー１０、１１の場合には、次の表２に示す如く、落下高さが４０ｃｍ或は５０ｃｍの場合でも、コアにひび割れや破損欠落が始まっており、製品のロール状物に実害が及んでいることが確認された。
【００３０】
【表２】
0004707285.tif 000003
【００３１】
前述の表１及び表２によって明らかな如く、本発明に係るコアホルダー１、８は、比較例１、２、（或は従来の）コアホルダー１０、１１に比較して、高い処から落下した場合の大きな衝撃力を効率良く吸収することが出来、本発明に係るコアホルダー１、８を使用した場合には、フィルム等のロール状に巻かれたロール状物を極めて有効に保護することが出来ることが明らかとなった。本発明に係るコアホルダー１、８は、特にＤＦＲ用に用いると好ましい効果を得ることが出来る。
【００３２】
本発明の梱包方法を実施した場合には、ＤＦＲ等のフィルムメーカーからＤＦＲ等のフィルムユーザーまでの搬送手段が宅配便等の一般の輸送ネットワークを利用することが出来るようになった。特に小口輸送の場合、コストの高い特別仕立ての専用便を敢えて使用する必要がなくなった。そのことにより、ＤＦＲ等のフィルムの流通コストの削減に著しく貢献することが可能となり、工業的にも極めて価値のある発明である。なお、本発明はフィルムの巻物であれば全てに応用することが可能で、ＤＦＲのみに限定されるものではない。
【００３３】
【発明の効果】
本発明に係るコアホルダーは、前述のようにロール状物のコアを支えるコア支持部と外枠との間に中間枠を介在させ、かつコア支持部と中間枠とを相互に連結する内側リブと、該中間枠と外枠とを相互に連結する外側リブとが互いに同一線上にこないように配列して構成したので、コアホルダーに加わった落下衝撃等の大きな外力を前記中間枠と、及び同一線上にこないように相互に配列された外側リブと内側リブとの組合わせによる総合作用で効率吸収することが出来る等の大きな効果を有している。
【００３４】
従って、例えばコアホルダーを用いて梱包されたロール状物が所定の高さから落下した場合にも、コアホルダーの外枠に掛かる大きな衝撃をそのままコア支持部に伝達することがなく、外枠に掛かる大きな衝撃を前述のように中間枠と同一線上にこないように配列された外側リブと内側リブとで総合的に吸収することが出来る効果を有している。
【００３５】
そのために、仮にコアホルダーの外枠が前述のような衝撃等の大きな外力によって破損するような場合にも、コア支持部で支えているロール状物に大きな外力がそのまま伝達されることを防止出来、これによってロール状物のコア或はコアに巻き取られたフィルムが破損或は損傷する恐れを極めて少なくすることが出来る等の効果を有している。
【００３６】
本発明に係る梱包方法は、前述のように、コア支持部と外枠との間に中間枠を設けると共に前記コア支持部と中間枠との間に設けた内側リブと該中間枠と外枠との間に設けた外側リブとが相互に同一線上にこないように配列して構成した一対のコアホルダーをロール状物の両端部に配置し、かつこれ等のコアホルダーのコア支持部でロール状物のコアを支持することによって梱包したので、輸送中等に梱包されたロール状物が落下して大きな衝撃が発生した場合にも、この衝撃をコアホルダーで吸収することが出来るので、梱包されたロール状物のコア或はフィルムが破損したり或は損傷することを防止出来る等の多大な効果を有している。
【図面の簡単な説明】
【図１】  本発明に係るコアホルダーの正面図及び平面図である。
【図２】  図１のコアホルダーの背面図である。
【図３】  他例のコアホルダーの正面図及び平面図である。
【図４】  図４(ａ)、(ｂ)は比較例１のコアホルダーの説明図である。
【図５】  図５(ａ)、(ｂ)は比較例２のコアホルダーの説明図である。
【図６】  ロール状物をコアホルダーを介して宙吊り状に保持する状態を示す説明図である。
【図７】  従来例のコアホルダーの説明図である。
【符号の説明】
１ …コアホルダー
２ …外枠
３ …コア支持部
４ …中間枠
５ …内側リブ
６ …外側リブ
７ …面板
８ …コアホルダー
９ …中間枠
１０ …コアホルダー
１１ …コアホルダー
１２ …外枠
１３ …コア支持部
１４ …リブ
５１ …フィルム
５２ …コア
５３ …ロール状物
５４ …コアホルダー
５５ …コア支持部
５６ …外枠
５７ …リブ
【図１】
0004707285.tif 000004
【図２】
0004707285.tif 000005
【図３】
0004707285.tif 000006
【図４】
0004707285.tif 000007
【図５】
0004707285.tif 000008
【図６】
0004707285.tif 000009
【図７】
0004707285.tif 000010